(57)【特許請求の範囲】
【請求項１】
筐体の前面側開口を開閉するための扉を開閉自在に支持する装置であって、左右一対の機構ユニットと、両機構ユニットを同期させる連結軸機構と、を具備し、
各機構ユニットＡ，Ｂは、前記筐体の左右側壁の外側前端部に固着されるベース枠と、
前記扉の後面下部に固着されるブラケット枠と、
一端が前記ベース枠の上部に第１水平軸により枢着され、他端が前記ブラケット枠の上部に第２水平軸により枢着される第１アームと、
一端が前記ベース枠の下部に第３水平軸により枢着され、他端が前記ブラケット枠の下部に第４水平軸により枢着される第２アームと、
一端が前記第２アームの途上に第５水平軸により枢着され、他端が前記筐体の左右側壁の外側下部に第６水平軸により枢着されるガスダンパーと、を具備し、
前記連結軸機構は、前記第１水平軸に固着される駆動歯車と、前記筐体の上部を水平に横断し両端部において前記ベース枠に回転自在に支持される連結軸と、この連結軸の両端に固着され前記駆動歯車に噛み合う受動歯車とを具備することを特徴とする筐体のリフト扉用支持装置。
【発明の詳細な説明】
【技術分野】
【０００１】
本発明は、バスの荷物室や、試験装置などに用いられるリフト扉を小さな操作力で開閉できるように支持する装置に関する。
【背景技術】
【０００２】
従来、バス等の貨物室の扉を開放位置及び閉鎖位置に選択的に保持する扉用の開閉支持装置として、特許文献１に記載されたものが知られている。この装置は、左右一対の機構ユニットからなり、各機構ユニットのベース枠が、トランク本体（筐体）の左右内側壁の前端部に固着され、ブラケット枠が扉の後面側下部に固着される。第１アームの基端がベース枠の上部に、他端がブラケット枠の上部に枢着される。また、第２アームの基端が、ベース枠の下部に、他端が、ブラケット枠の下部に枢着される。ガスダンパーの一端側がベース枠の下部後方に、他端側が第１アームの中間部に枢着される。左右の機構ユニットＡ，Ｂの対応する各水平枢軸が常時同じ水平位置に来るように、左右の第１アーム間が、左右方向に水平に横断する連結アームによって連結される。
【先行技術文献】
【特許文献】
【０００３】
【特許文献１】特開２００３−２５２２５３号公報
【発明の概要】
【発明が解決しようとする課題】
【０００４】
上記従来の開閉支持装置は、機構がすべて筐体の内側に配置される。これを例えば、内部環境が高温となる試験装置の扉に適用する場合、支持装置が試験装置の内部環境にさらされることになるので、特にガスダンパーの寿命に影響を与える恐れがある。また、筐体内部の空間が制限されるし、扉に内部観察用の窓を設ける場合には、連結アームが視界を遮る不都合がある。
支持装置を筐体の外側に配置すれば、この問題は解消されるが、連結アームを横断させることができない。連結アームがないと、左右の機構ユニットの同期がとれず、扉の円滑な開閉操作が阻害される。
したがって、本発明は、左右の機構ユニットを筐体の外部に配置し、連結アームを筐体内の前面側に横断させることなく、左右の機構ユニットの同期をとることができるリフト扉用の支持装置を提供することを目的としている。
【課題を解決するための手段】
【０００５】
以下、添付図面の符号を参照して説明するが、本発明はこれに限定されるものではない。
上記課題を解決するための、本発明のリフト扉用支持装置１は、筐体３１の前面側開口３４を開閉するための扉３３を開閉自在に支持する装置であって、左右一対の機構ユニットＡ，Ａと、両機構ユニットＡ，Ｂを同期させる連結軸機構Ｃと、を具備する。各機構ユニットＡ，Ｂは、ベース枠２と、ブラケット枠３と、第１及び第２のアーム４，５と、ガスダンパー１６と、を具備する。ベース枠２は、筐体３１の左右側壁３４の外側前端部に固着される。ブラケット枠３は、扉３３の後面下部に固着される。第１アーム４は、一端がベース枠２の上部に第１水平軸６により枢着され、他端がブラケット枠３の上部に第２水平軸７により枢着される。第２アーム５は、一端がベース枠２の下部に第３水平軸８により枢着され、他端がブラケット枠３の下部に第４水平軸９により枢着される。ガスダンパー１６は、一端が第２アーム５の途上に第５水平軸１０により枢着され、他端が筐体３１の左右側壁３４の外側下部に第６水平軸１２により枢着される。連結軸機構Ｃは、第１水平軸６に固着される駆動歯車１３と、筐体３１の上部を水平に横断し、両端部においてベース枠２に回転自在に支持される連結軸１４と、この連結軸１４の両端に固着され駆動歯車１３に噛み合う受動歯車１５とを具備する。
【発明の効果】
【０００６】
本発明のリフト扉用支持装置は、左右の機構ユニットＡ，Ｂを筐体の外部に配置し、連結アームを筐体内に横断させることなく、したがって、筐体の内部スペースを大きくとることができ、しかも、左右の機構ユニットＡ，Ｂの同期をとることができ、扉の円滑な回転を得ることができる。
【図面の簡単な説明】
【０００７】
【図１】本発明に係るリフト扉用支持装置を筐体の前後方向中間位置で縦断して前方を見た断面図である。
【図２】図１のリフト扉用支持装置の側面図である。
【図３】図１のリフト扉用支持装置の平面図である。
【図４】図１のリフト扉用支持装置において扉を開放する途上の側面図である。
【図５】図１のリフト扉用支持装置において扉を開放した状態の側面図である。
【発明を実施するための形態】
【０００８】
図面を参照して本発明の実施の形態を説明する。
リフト扉用支持装置１は、試験装置等の筐体３１の前面側開口３２を開閉するための扉３３を開閉自在に支持する装置である。
【０００９】
リフト扉用支持装置１は、左右一対の機構ユニットＡ，Ｂと、両機構ユニットＡ，Ｂを同期させる連結軸機構Ｃと、を具備する。機構ユニットＡ，Ｂは、筐体３１の正面から見た中心に対して左右対称に配置される同一機構である。
【００１０】
各機構ユニットＡ，Ｂは、筐体３１に固定されるベース枠２と、扉３３に固定されるブラケット枠３と、両枠２，３間に設けられる第１及び第２のアーム４，５と、筐体３１と第２のアーム５間に設けられるガスダンパー４とを具備する。
【００１１】
ベース枠２は、筐体の左右側壁３４の上部の外側前端部に固着される。ブラケット枠３は、扉３３の後面下部に固着される。
【００１２】
第１アーム４は、一端がベース枠２の上部に、筐体３１の前面と平行な第１水平軸６により枢着され、他端がブラケット枠３の上部に、第１水平軸６と平行な第２水平軸７により枢着される。
【００１３】
第２アーム５は、一端がベース枠２の下部に、第１水平軸６と平行な第３水平軸８により枢着され、他端がブラケット枠３の下部に、第１水平軸６と平行な第４水平軸９により枢着される。
【００１４】
ガスダンパー１６は、シリンダ側の一端が第２アーム５の途上に、第１水平軸６と平行な第５水平軸１０により枢着され、ピストンロッド側の他端が、筐体３１の側壁３４の外側下部に固着された軸受け部材１１に、第１水平軸６と平行な第６水平軸１２により枢着される。ガスダンパー１６は、筐体３１の外側に配置されるので、筐体３１の内部環境の影響を受けない。
【００１５】
連結軸機構Ｃは、第１水平軸６に固着される駆動歯車１３と、筐体３１の上部を水平に横断する連結軸１４と、連結軸１４の両端に固着される受動歯車１５とを具備する。連結軸１４は、筐体３１の上端部前隅の邪魔にならない位置に配置され、両端部においてベース枠２に回転自在に支持される。受動歯車１５は、駆動歯車１３に噛み合う。
【００１６】
したがって、左右の第１アーム４は、連結軸１４を介して同期して回転し、これに伴い左右一対の機構ユニットＡ，Ｂ全体が互いに同期して動作する。このため、扉３３を開閉操作するとき、左右に不均等な力が加わっても、支持機構が歪むことなく、扉３３は円滑に動作する。
【符号の説明】
【００１７】
Ａ    機構ユニット
Ｂ    機構ユニット
Ｃ    連結軸機構Ｃ
１    リフト扉用支持装置
２    ベース枠
３    ブラケット枠
４    第１アーム
５    第２のアーム
６    第１水平軸
７    第２水平軸
８    第３水平軸
９    第４水平軸
１０  第５水平軸
１１  軸受け部材
１２  第６水平軸
１３  駆動歯車
１４  連結軸
１５  受動歯車
１６  ガスダンパー
３１  筐体
３２  開口
３３  扉
３４  側壁
【図１】
0005458140.tif 000002
【図２】
0005458140.tif 000003
【図３】
0005458140.tif 000004
【図４】
0005458140.tif 000005
【図５】
0005458140.tif 000006